(57)【要約】【課題】フィルタ性能の信頼性をより向上させることが可能な液体試料検査用ディスク及びそれに用いるフィルタカートリッジ並びにディスク本体を提供する。【解決手段】液体試料検査用ディスク１は、複数種類の物質を含む液体試料を入れる第１チャンバー２１及び第１チャンバー２１に連通している第２チャンバー２２を有するディスク本体２と、液体試料から特定の物質を通し不要な物質を捕捉する多孔質構造体３６を含むフィルタ３５を有し、ディスク本体２の第１チャンバー２１に嵌め込まれるフィルタカートリッジ３と、を備える。【選択図】図１
2019078527.tif 000002
【特許請求の範囲】
【請求項１】
複数種類の物質を含む液体試料を入れる第１チャンバー及び前記第１チャンバーに連通している第２チャンバーを有するディスク本体と、
前記液体試料から特定の物質を通し不要な物質を捕捉する多孔質構造体を含むフィルタを有し、前記ディスク本体の前記第１チャンバーに嵌め込まれるフィルタカートリッジと、を備える、
ことを特徴とする液体試料検査用ディスク。
【請求項２】
前記フィルタカートリッジは、前記液体試料が収納される収納空間を有し、
前記フィルタは、前記収納空間と前記第２チャンバーとの間にある、
ことを特徴とする請求項１記載の液体試料検査用ディスク。
【請求項３】
前記収納空間、前記フィルタ及び前記第２チャンバーは、前記フィルタカートリッジが前記第１チャンバーに嵌め込まれている状態において、前記ディスク本体の中心軸側からこの順に並んでいる、
ことを特徴とする請求項２記載の液体試料検査用ディスク。
【請求項４】
前記フィルタは、前記フィルタカートリッジにおける前記液体試料の出口にある、
ことを特徴とする請求項２又は３記載の液体試料検査用ディスク。
【請求項５】
前記フィルタカートリッジは、前記液体試料の注入孔を有する、
ことを特徴とする請求項２乃至４のいずれか一項に記載の液体試料検査用ディスク。
【請求項６】
前記第１チャンバーは、前記ディスク本体の厚さ方向に沿って形成された凹部の内部空間からなる、
ことを特徴とする請求項１乃至５のいずれか一項に記載の液体試料検査用ディスク。
【請求項７】
前記フィルタカートリッジの高さが前記ディスク本体における前記凹部の深さよりも大きい、
ことを特徴とする請求項６記載の液体試料検査用ディスク。
【請求項８】
請求項１乃至７のいずれか一項に記載の液体試料検査用ディスクに用いられるフィルタカートリッジ。
【請求項９】
請求項１乃至７のいずれか一項に記載の液体試料検査用ディスクに用いられるディスク本体。
【発明の詳細な説明】
【技術分野】
【０００１】
本発明は、液体試料検査用ディスク及びそれに用いるフィルタカートリッジ並びにディスク本体に関し、より詳細には、複数種類の物質が含まれる液体試料から特定の物質を検査するための液体試料検査用ディスク及びそれに用いるフィルタカートリッジ並びにディスク本体に関する。
【背景技術】
【０００２】
従来、この種の液体試料検査用ディスクとしては、例えば、赤血球と白血球とを分離して赤血球を抽出することができる診断キットが知られている（特許文献１）。
【０００３】
特許文献１に記載された診断キットには、診断キットの中心軸に近い方から順に、第１チャンバー、流路及び第２チャンバーが設けられている。
【０００４】
第１チャンバーには、生体試料と染色液と希釈液とが投入される。生体試料は、赤血球と白血球とを含んでいる。染色液は、対象物である赤血球に感染した感染微生物の核酸を蛍光染色する。
【０００５】
診断キットは、流路に設けられて赤血球を通過させる対象物通過部を更に有している。対象物通過部は、非対象物である白血球を捕捉する非対象物捕捉構造物（フィルタ）を有する。非対象物捕捉構造物は、複数の繊維状物質により形成されている。複数の繊維状物質は、互いに絡み合うように密集している。非対象物捕捉構造物の繊維状物質間の空隙は３μｍから６μｍである。これに対し、赤血球の直径は７μｍから８μｍである。赤血球は、変形能を有するので、赤血球の直径の半分以下の空隙を通過することができる。白血球の直径は、６μｍから３０μｍである。白血球は、赤血球よりも変形能が小さい。よって、非対象物捕捉構造物は、生体試料に含まれる白血球を捕捉する。一方、赤血球は、繊維状物質間の空隙を通過する。これにより、非対象物捕捉構造物は赤血球を抽出することが可能である。
【先行技術文献】
【特許文献】
【０００６】
【特許文献１】ＷＯ２０１２／１３７５０６
【発明の概要】
【発明が解決しようとする課題】
【０００７】
特許文献１に記載された診断キットでは、非対象物捕捉構造物のフィルタ性能を検査するのが難しく、フィルタ性能の信頼性の更なる向上が望まれている。
【０００８】
本発明の目的は、フィルタ性能の信頼性をより向上させることが可能な液体試料検査用ディスク及びそれに用いるフィルタカートリッジ並びにディスク本体を提供することにある。
【課題を解決するための手段】
【０００９】
本発明の一態様に係る液体試料検査用ディスクは、複数種類の物質を含む液体試料を入れる第１チャンバー及び前記第１チャンバーに連通している第２チャンバーを有するディスク本体と、前記液体試料から特定の物質を通し不要な物質を捕捉する多孔質構造体を含むフィルタを有し、前記ディスク本体の前記第１チャンバーに嵌め込まれるフィルタカートリッジと、を備える。
【００１０】
この液体試料検査用ディスクにおいて、前記フィルタカートリッジは、前記液体試料が収納される収納空間を有し、前記フィルタは、前記収納空間と前記第２チャンバーとの間にあるのが好ましい。
【００１１】
この液体試料検査用ディスクにおいて、前記収納空間、前記フィルタ及び前記第２チャンバーは、前記フィルタカートリッジが前記第１チャンバーに嵌め込まれている状態において、前記ディスク本体の中心軸側からこの順に並んでいるのが好ましい。
【００１２】
この液体試料検査用ディスクにおいて、前記フィルタは、前記フィルタカートリッジにおける前記液体試料の出口にあるのが好ましい。
【００１３】
この液体試料検査用ディスクにおいて、前記フィルタカートリッジは、前記液体試料の注入孔を有するのが好ましい。
【００１４】
この液体試料検査用ディスクにおいて、前記ディスク本体における前記第１チャンバーは、前記ディスク本体の厚さ方向に沿って形成された凹部の内部空間からなるのが好ましい。
【００１５】
この液体試料検査用ディスクにおいて、前記フィルタカートリッジの高さが前記ディスク本体における前記凹部の深さよりも大きいのが好ましい。
【００１６】
本発明の一態様に係るフィルタカートリッジは、上記の液体試料検査用ディスクに用いられるフィルタカートリッジである。
【００１７】
本発明の一態様に係るディスク本体は、上記の液体試料検査用ディスクに用いられるディスク本体である。
【発明の効果】
【００１８】
本発明の液体試料検査用ディスク及びそれに用いるフィルタカートリッジ並びにディスク本体では、フィルタカートリッジをディスクの第１チャンバーに嵌め込む前にフィルタカートリッジのフィルタ性能を検査することができる。これにより、本発明の液体試料検査用ディスク及びそれに用いるフィルタカートリッジ並びにディスクでは、フィルタ性能の信頼性をより向上させることが可能となる。
【図面の簡単な説明】
【００１９】
【図１】図１Ａは、本発明の実施形態に係る液体試料検査用ディスクの斜視図である。図１Ｂは、同上の液体試料検査用ディスクの要部の断面図である。
【図２】図２は、同上の液体試料検査用ディスクの平面図である。
【図３】図３Ａは、同上の液体試料検査用ディスクの上側から見た分解斜視図である。図３Ｂは、同上の液体試料検査用ディスクの下側から見た分解斜視図である。
【図４】図４は、同上の液体試料検査用ディスクにおけるトラックの拡大平面図である。
【図５】図５Ａは、同上の液体試料検査用ディスクにおけるフィルタカートリッジの平面図である。図５Ｂは、同上の液体試料検査用ディスクにおけるフィルタカートリッジの横断面図である。
【図６】図６は、同上の液体試料検査用ディスクにおけるフィルタを構成する多孔質構造体のＳＥＭ像（scanning electron microscope image）図である。
【図７】図７は、検出装置の構成図である。
【図８】図８は、本発明の実施形態の変形例１に係る液体試料検査用ディスクにおけるディスク本体の一部破断した平面図である。
【図９】図９は、本発明の実施形態の変形例２に係る液体試料検査用ディスクの要部断面図である。
【発明を実施するための形態】
【００２０】
下記の実施形態において説明する各図は、模式的な図であり、図中において各構成要素の大きさや厚さそれぞれの比が、必ずしも実際の寸法比を反映しているとは限らない。
【００２１】
（実施形態）
以下では、本実施形態の液体試料検査用ディスク１（以下、「検査用ディスク１」と略称することもある。）について、図１Ａ〜６に基づいて説明する。図１Ｂは、フィルタカートリッジ３をディスク本体２に嵌め込んでいない状態を示し、図２のＡ−Ａ線断面に対応する。
【００２２】
検査用ディスク１は、ディスク本体２と、フィルタカートリッジ３と、を備える。ディスク本体２は、複数種類の物質を含む液体試料を入れる第１チャンバー２１と、第１チャンバー２１に連通している第２チャンバー２２と、を有する。フィルタカートリッジ３は、液体試料から特定の物質を通し不要な物質を捕捉する多孔質構造体３６を含むフィルタ３５を有する。フィルタカートリッジ３は、ディスク本体２の第１チャンバー２１に嵌め込まれる。以上の構成により、検査用ディスク１では、フィルタカートリッジ３をディスク本体２の第１チャンバー２１に嵌め込む前にフィルタカートリッジ３のフィルタ性能を検査することができる。これにより、検査用ディスク１では、フィルタ性能の信頼性をより向上させることが可能となる。検査用ディスク１及びそれに用いるフィルタカートリッジ３並びにディスク本体２では、フィルタ性能の信頼性の向上を図れるので、検査用ディスク１の信頼性の向上を図ることが可能となる。
【００２３】
検査用ディスク１は、例えば、液状の生体試料（例えば、人の血液）中の検体（例えば、赤血球）への病原性微生物（例えば、マラリアの原虫）の感染率を検査するために用いられる。マラリアの原虫は、例えば、ハマダラ蚊が人の血を吸ったときに人の体内に侵入し、血液中において赤血球に侵入し、赤血球中に寄生する。ここでいう「感染率」は、｛［病原性微生物の感染している検体の数］／［検体の全数］｝×１００〔％〕である。液体試料は、少なくとも、液状の生体試料を含む。液体試料は、例えば、生体試料が血液である場合、粘性を低下させるために、血液を希釈液により希釈してあるのが好ましい。希釈液としては、生体試料に含まれる血液細胞（赤血球、白血球）を変性させない液を用いる。希釈液としては、例えば、緩衝液、等張液、培養液、界面活性剤等を用いることができる。
【００２４】
ディスク本体２は、第１チャンバー２１と第２チャンバー２２との間に、第１チャンバー２１及び第２チャンバー２２それぞれに連通する流路２３を有するのが好ましい。検査用ディスク１では、病原性微生物の核酸を染色するための蛍光色素が、ディスク本体２の流路２３に配置されているのが好ましい。蛍光色素は、流路２３の内壁面に塗布されているのが好ましい。これにより、検査用ディスク１では、液体試料が流路２３を通るときに、検体に寄生している病原性微生物の核酸を蛍光標識することが可能となる。蛍光色素により染色された核酸は、外部から励起光が照射されたときに蛍光を発する。病原性微生物の核酸を染色するための蛍光色素は、流路２３ではなく第２チャンバー２２に配置されていてもよい。
【００２５】
検査用ディスク１では、フィルタ３５が、特定の物質（検体）である赤血球を通し、かつ、不要な物質である白血球を捕捉するように構成されている。言い換えれば、フィルタ３５は、赤血球と白血球とを分離し赤血球を抽出する分離部として機能するように構成されている。検査用ディスク１は、フィルタカートリッジ３を備えており、フィルタ３５が赤血球を通し白血球を捕捉するように構成されているので、生体試料から赤血球を抽出することが可能となる。
【００２６】
病原性微生物の核酸を染色するための蛍光色素は、白血球を染色することもできる材料である。しかしながら、検査用ディスク１では、第１チャンバー２１に入れられた液体試料中の白血球がフィルタ３５に捕捉される。よって、検査用ディスク１では、第１チャンバー２１へ入れられた液体試料に含まれている白血球が蛍光色素により染色されるのを防ぐことが可能となる。
【００２７】
検査用ディスク１において、フィルタカートリッジ３は、液体試料が収納される収納空間３１を有するのが好ましい。ここで、フィルタカートリッジ３におけるフィルタ３５は、収納空間３１と第２チャンバー２２との間にあるのが好ましい。検査用ディスク１では、フィルタカートリッジ３がディスク本体２の第１チャンバー２１に嵌め込まれる（図２参照）ので、フィルタカートリッジ３の収納空間３１にある液体試料を、第１チャンバー２１内に入れた液体試料とみなすことができる。検査用ディスク１では、フィルタカートリッジ３におけるフィルタ３５が収納空間３１と第２チャンバー２２との間にあることにより、収納空間３１に入れた液体試料中の赤血球を、フィルタ３５を通して第２チャンバー２２へ移動させることが可能となる。液体試料は、フィルタカートリッジ３がディスク本体２の第１チャンバー２１に嵌め込まれた状態において、収納空間３１に入れてもよいし、フィルタカートリッジ３が第１チャンバー２１に嵌め込まれていない状態において、収納空間３１に入れてもよい。
【００２８】
検査用ディスク１では、フィルタカートリッジ３が第１チャンバー２１に嵌め込まれている状態において、収納空間３１、フィルタ３５及び第２チャンバー２２は、ディスク本体２の中心軸２０側からこの順に並んでいるのが好ましい。これにより、検査用ディスク１を回転させたときに液体試料に作用する遠心力により、収納空間３１中の液体試料を、フィルタ３５を通して第２チャンバー２２へ移動させることが可能となる。第２チャンバー２２内において、液体試料には、遠心力の他に、表面張力等も作用する。検査用ディスク１の回転方向は、検査用ディスク１の上側から見て、時計回り（右回り）の方向である。検査用ディスク１において、収納空間３１、フィルタ３５及び第２チャンバー２２は、ディスク本体２の径方向に沿って並んでいるのが好ましい。
【００２９】
ディスク本体２の形状は、光ディスク（ＣＤ、ＤＶＤ等）と同様、円盤状であるのが好ましい。ディスク本体２の中央には、円形状の孔２４が形成されているのが好ましい。検査用ディスク１の直径は、例えば、１２０ｍｍである。
【００３０】
ディスク本体２は、円板状のベース基板４と、ベース基板４の上面（第１面）４１に接合された円板状のカバー基板５と、を備えている。ベース基板４の中央には、ディスク本体２の孔２４の一部を構成する円形状の孔４０（図３Ｂ参照）が形成されている。また、カバー基板５の中央には、ディスク本体２の孔２４の一部を構成する円形状の孔５０（図３Ａ及び３Ｂ参照）が形成されている。ベース基板４の上面４１には、光ディスクと同様に、ベース基板４の下面（第２面）４２を通して入射したビーム状の光を追従させるための螺旋状のトラック（溝）４３（図４参照）が形成されているのが好ましい。トラック４３は、ベース基板４の中央部から外周部まで螺旋状に形成されている。トラック４３にはアドレス情報が連続的に記録されており、アドレス情報によって位置が特定できるようになっている。したがって、例えば、第２チャンバー２２の位置情報は、アドレス情報により特定される。検査用ディスク１は、ＣＤやＤＶＤと同様、トラック４３が光により走査されることにより、アドレス情報が再生される。光は、励起光である。励起光の波長は、例えば、４００ｎｍ〜４１０ｎｍであるのが好ましく、４０５ｎｍであるのがより好ましい。トラック４３の深さは、例えば、５０ｎｍである。
【００３１】
ベース基板４の上面４１上には、誘電体膜４４が形成されている。誘電体膜４４は、例えば、ＺｎＳ−ＳｉＯ2膜である。誘電体膜４４は、トラック４３を覆うように形成されている。誘電体膜４４は、トラッキングのために励起光の一部を反射し、残りのほとんどを透過させるように構成されている。励起光に対する誘電体膜４４の反射率は、例えば、５％以上２０％以下である。蛍光に対する誘電体膜４４の反射率は、例えば、５％程度であるのが好ましい。検査用ディスク１では、誘電体膜４４とベース基板４との界面により、励起光を反射する反射面４４ａが構成される。
【００３２】
検査用ディスク１においてフィルタ３５を通して第２チャンバー２２へ送られた液体試料中の検体は、例えば、図７に示すような検出装置７０によって検査される。
【００３３】
検出装置７０は、例えば、光ディスク用の光ピックアップ装置と同様の光学系を備えており、その動作も同様である。検出装置７０の光学系は、半導体レーザ７１と、偏光ビームスプリッタ７２と、対物レンズ７３と、ダイクロイックプリズム７４と、蛍光検出器７５と、アナモフィックレンズ（anamorphic lens）７６と、反射励起光検出器７７と、を備えている。
【００３４】
検出装置７０は、上述の光学系の他、ホルダ８１と、アクチュエータ８２と、回転装置（モータ）８３と、第１の信号演算回路８４と、サーボ回路８５と、第２の信号演算回路８６と、画像解析装置８７と、画像表示装置８８と、を備えている。
【００３５】
検出装置７０では、回転装置８３により回転するテーブルに検査用ディスク１がセットされた後に、所定動作が開始される。
【００３６】
光学系、ホルダ８１及びアクチュエータ８２は、ＣＤやＤＶＤの記録／再生に用いる既存の光ピックアップ装置と同様、ハウジングに設置される。また、このハウジングは、所定のガイド機構によって、検査用ディスク１の径方向に移動可能となっている。サーボ回路８５は、ハウジングの移動の制御も行う。この制御は、既存のＣＤプレーヤやＤＶＤプレーヤにおける制御と同様のアクセス制御なので、その詳細な説明は省略する。
【００３７】
半導体レーザ７１は、波長４０５ｎｍ程度の光（励起光）を出射する。図７には、光の進行経路を一点鎖線で示してある。半導体レーザ７１から出射された励起光は、偏光ビームスプリッタ７２によって反射され、対物レンズ７３に入射する。
【００３８】
対物レンズ７３は、所定の開口数（numerical aperture）を有し、励起光を検査用ディスク１に対して適正に収束させるよう構成されている。具体的には、対物レンズ７３は、偏光ビームスプリッタ７２側から入射する励起光が収束するよう構成されている。
【００３９】
対物レンズ７３は、ホルダ８１に保持された状態で、アクチュエータ８２により、フォーカス方向（検査用ディスク１の厚さ方向）とトラッキング方向（検査用ディスク１の径方向）に駆動される。すなわち、対物レンズ７３は、励起光が検査用ディスク１の反射面４４ａに合焦された状態でトラック４３を追従するように駆動される。反射面４４ａに合焦された励起光は、一部が反射面４４ａによって反射され、大部分が反射面４４ａを透過する。
【００４０】
対物レンズ７３によって収束された励起光が赤血球において蛍光標識された核酸に照射されると、蛍光が発生する。蛍光の波長は、励起光の波長と異なる。蛍光の波長は、例えば、４４０ｎｍ〜４９０ｎｍであるのが好ましく、４５５ｎｍであるのがより好ましい。蛍光色素としては、例えば、ＳＹＴＯ（登録商標）Ｂｌｕｅ等を用いることができる。マラリアの原虫が感染していない赤血球は蛍光標識されていないので、励起光を照射されても蛍光を発生しない。したがって、マラリアの原虫が感染している赤血球と感染していない赤血球とを蛍光の有無で区別することができる。
【００４１】
ダイクロイックプリズム７４は、波長４０５ｎｍ程度の光を反射し、波長４４０〜６００ｎｍ程度の光を透過するよう構成されている。
【００４２】
反射面４４ａによって反射された励起光（以下、「反射励起光」という）は、偏光ビームスプリッタ７２を透過し、ダイクロイックプリズム７４によって反射され、アナモフィックレンズ７６に入射する。
【００４３】
アナモフィックレンズ７６は、偏光ビームスプリッタ７２側から入射する反射励起光に非点収差を導入する。アナモフィックレンズ７６を透過した反射励起光は、反射励起光検出器７７に入射する。反射励起光検出器７７は、受光面上に反射励起光を受光するための４分割センサを有している。反射励起光検出器７７の検出信号は、第２の信号演算回路８６に入力される。
【００４４】
第２の信号演算回路８６は、反射励起光検出器７７の検出信号から、フォーカスエラー信号及びトラッキングエラー信号を生成し、かつ、ウォブル信号（wobble signal）を生成する。フォーカスエラー信号は、対物レンズ７３の焦点位置と検査用ディスク１とのずれ（焦点誤差）を示す信号である。トラッキングエラー信号は、励起光のスポットとトラックとのずれ（トラッキング誤差）を示す信号である。ウォブル信号は、トラック４３により規定されるグルーブの蛇行形状に応じた波形信号である。フォーカスエラー信号及びトラッキングエラー信号は、非点収差法と１ビームプッシュプル法に従って生成される。ウォブル信号は、トラッキングエラー信号に基づいて生成される。具体的には、トラッキングエラー信号から、ウォブル信号に応じた周波数成分を抽出することにより、ウォブル信号が生成される。サーボ回路８５は、第２の信号演算回路８６から出力されたフォーカスエラー信号及びトラッキングエラー信号を用いて、アクチュエータ８２を制御する。また、サーボ回路８５は、第２の信号演算回路８６から出力されたウォブル信号を用いて、所定の線速度で検査用ディスク１が回転されるように回転装置８３を制御する。
【００４５】
また、第２の信号演算回路８６は、ウォブル信号を復調して生成した再生データ（アドレス情報）を画像解析装置８７に出力する。
【００４６】
対物レンズ７３側からダイクロイックプリズム７４に入射する蛍光は、ダイクロイックプリズム７４を透過し、蛍光検出器７５に入射する。蛍光検出器７５は、受光した蛍光を電気信号からなる検出信号に変換して出力するセンサを有している。蛍光検出器７５の検出信号は、第１の信号演算回路８４に入力される。
【００４７】
第１の信号演算回路８４は、蛍光検出器７５からの検出信号を増幅して生成した蛍光輝度情報を画像解析装置８７に出力する。
【００４８】
画像解析装置８７は、第１の信号演算回路８４から出力される蛍光輝度情報と、第２の信号演算回路８６から出力されるアドレス情報と、に基づいて第２チャンバー２２内の液体試料の画像を生成して画像表示装置８８に表示させ、当該画像における赤血球及び赤血球に感染しているマラリア原虫の核酸を検出して、感染率を演算し、その演算結果を画像表示装置８８に表示させる。画像解析装置８７は、例えば、パーソナルコンピュータに適宜のプログラムを実行させることにより実現できる。また、画像表示装置８８は、例えば、パーソナルコンピュータのディスプレイにより構成できる。
【００４９】
検査用ディスク１及び検出装置７０を用いて赤血球の検査を行う例の手順について、簡単に説明する。
【００５０】
患者から採血された血液（生体試料）を準備してから、血液と希釈液とを混合することで液体試料を調製する。
【００５１】
その後、フィルタカートリッジ３の収納空間３１に液体試料を入れる。収納空間３１に生体試料を入れるときには、例えば、ピペット（pipette）、シリンジ（syringe）等を用いる。ここでは、フィルタカートリッジ３をディスク本体２の第１チャンバー２１に嵌め込んだ状態において液体試料を収納空間３１に入れるが、これに限らず、フィルタカートリッジ３を第１チャンバー２１に嵌め込む前に、収納空間３１に液体試料を入れてもよい。
【００５２】
その後、検出装置７０において、検査用ディスク１を所定の回転速度で所定の回転時間だけ回転させる。検出装置７０は、検査用ディスク１の中心軸２０を中心として検査用ディスク１を回転させる。このとき、液体試料中の白血球は、フィルタカートリッジ３のフィルタ３５に捕捉され、流路２３及び第２チャンバー２２へは到達しない。よって、検査用ディスク１では、液体試料を第１チャンバー２１から第２チャンバー２２へ移動させることができ、かつ、白血球をフィルタ３５で捕捉することができる。
【００５３】
その後、検出装置７０において、第２チャンバー２２内の液体試料の画像を生成して、画像表示装置８８に表示させ、更に感染率を画像表示装置８８に表示させる。これにより、医師等が顕微鏡を利用して検査を行う場合と比べて、検査時間を短縮することが可能となる。
【００５４】
検査用ディスク１は、フィルタカートリッジ３を備えており、フィルタカートリッジ３単体でフィルタ性能の検査を行うことができるので、フィルタ３５の、赤血球を透過し白血球を捕捉するフィルタ性能の信頼性の向上を図ることが可能となる。これにより、例えば、検査用ディスク１及び検出装置７０を用いた感染率の検査の精度を向上させることが可能となる。
【００５５】
検査用ディスク１の各構成要素については、以下に、詳細に説明する。
【００５６】
ディスク本体２の形状は、円盤状である。ディスク本体２には、ディスク本体２の中心軸２０に近い方から第１チャンバー２１と流路２３と第２チャンバー２２とがこの順で設けられている。
【００５７】
第１チャンバー２１は、ディスク本体２の上面においてディスク本体２の厚さ方向に沿って形成された凹部２０１の内部空間からなるのが好ましい。これにより、検査用ディスク１では、第１チャンバー２１が、ディスク本体２の径方向に沿って形成された凹部の内部空間からなる場合に比べて、第１チャンバー２１へフィルタカートリッジ３を比較的容易に嵌め込むことが可能となる。言い換えれば、検査用ディスク１では、フィルタカートリッジ３を第１チャンバー２１へディスク本体２の厚さ方向から嵌め込むことができるので、ディスク本体２の径方向から嵌め込む場合に比べて、比較的容易に嵌め込むことが可能となる。
【００５８】
第１チャンバー２１は、カバー基板５の厚さ方向に貫通する貫通孔５１の内周面と、ベース基板４の上面４１上の誘電体膜４４と、接合部６と、で囲まれた空間である。貫通孔５１は、カバー基板５において孔５０付近に設けられている。第１チャンバー２１の形状は、ディスク本体２の厚さ方向から見てフィルタカートリッジ３と略同じである。これにより、第１チャンバー２１に嵌め込まれたフィルタカートリッジ３のがたつきを抑制することが可能となる。ディスク本体２では、第１チャンバー２１が、フィルタカートリッジ３を収納する収納部を構成している。
【００５９】
ディスク本体２は、第１チャンバー２１と第２チャンバー２２とがディスク本体２の径方向において離れており、第１チャンバー２１と第２チャンバー２２とが流路２３を介して連通しているのが好ましい。流路２３の形状は、ディスク本体２の厚さ方向から見て、長方形状である。流路２３の幅は、第１チャンバー２１の幅及び第２チャンバー２２の幅よりも狭いのが好ましい。より詳細には、第１チャンバー２１と流路２３と第２チャンバー２２とで構成されるチャンバユニット２５は、流路２３においてくびれた形状であるのが好ましい。流路２３の幅は、第１チャンバー２１の出口の幅と同じであるのが好ましい。
【００６０】
流路２３は、カバー基板５の下面５２に形成された流路２３形成用の凹部５３の内面と、ベース基板４の上面４１上の誘電体膜４４と、接合部６と、とで囲まれた空間である。流路２３の開口面積は、第１チャンバー２１から離れて第２チャンバー２２に近づくにつれて徐々に小さくなっているのが好ましい。これにより、検査用ディスク１では、第１チャンバー２１から第２チャンバー２２へ移動した液体試料中に気泡が発生するのを抑制することが可能となる。ディスク本体２の周方向における凹部５３の幅は、ディスク本体２の中心軸２０からの距離によらず略一定である。ディスク本体２の厚さ方向における凹部５３の深さは、ディスク本体２の中心軸２０から離れるにつれて浅くなっている。
【００６１】
第２チャンバー２２の形状は、例えば、図２に示すように、ディスク本体２の厚さ方向から見てＵ字状である。これにより、検査用ディスク１では、第２チャンバー２２の形状が矩形状である場合に比べて、第１チャンバー２１から第２チャンバー２２へ液体試料を移動させたときに第２チャンバー２２内に気泡が発生するのを抑制することが可能となる。Ｕ字状の第２チャンバー２２は、流路２３からディスク本体２の外周側へ延び、外周側で内側へ折り返した形状である。第２チャンバー２２は、第１端２２１と第２端２２２とのうち第１端２２１のみが流路２３と直接つながっている。第２チャンバー２２は、ディスク本体２の上側から見て、第１端２２１を基準として第２端２２２がディスク本体２の回転方向とは反対方向にあるのが好ましい。ディスク本体２には、第２チャンバー２２の第２端２２２に連通する通気孔２３０が形成されているのが好ましい。これにより、検査用ディスク１では、第１チャンバー２１から第２チャンバー２２へ液体試料を移動させたときに第２チャンバー２２内に気泡が発生するのを抑制することが可能となる。よって、検査用ディスク１では、検出装置７０により光を照射したときにノイズの原因となる気泡の発生を抑制できるので、検出装置７０による検査の精度を向上させることが可能となる。通気孔２３０は、カバー基板５に形成されており、その形状及び大きさは特に問わない。形状は、例えば、円形、三角形、四角形、星形等である。通気孔２３０は、液体試料の漏れを防ぐためには、小さいほうが良く、フィルタカートリッジ３に設けられた注入孔（試料注入口）３３よりも小さいほうが望ましい。また、通気孔２３０の位置は第２端２２２の、より端部に形成されているほうが、液体試料の所定の注入量を確保しやすい。通気孔２３０は、ディスク本体２の厚さ方向から見て一部が第２チャンバー２２に重なるように設けられていればよく、別の一部が第２チャンバー２２の外にかかっていてもよい。
【００６２】
第２チャンバー２２は、カバー基板５の下面５２に形成された第２チャンバー２２形成用の凹部５４の内面と、ベース基板４の上面４１上の誘電体膜４４と、接合部６と、で囲まれた空間である。凹部５４の開口形状は、Ｕ字状である。ディスク本体２の厚さ方向から見た凹部５４の開口形状は、Ｕ字状である。
【００６３】
検査用ディスク１は、１つの第１チャンバー２１と１つの第２チャンバー２２とを含むチャンバユニット２５が複数（例えば、９つ）設けられており、複数のチャンバユニット２５が、ディスク本体２の中心軸２０を中心に等角度間隔で放射状に配列されているのが好ましい。これにより、検査用ディスク１は、複数の液体試料の検査に利用することができる。また、検査用ディスク１を利用した赤血球の検査方法では、複数のフィルタカートリッジ３の収納空間３１それぞれに液体試料を入れ、かつ、複数のフィルタカートリッジ３をディスク本体２において一対一で対応する第１チャンバー２１に嵌め込んだ状態で、検査用ディスク１を、ディスク本体２の中心軸２０を中心として回転させる。これにより、検査方法では、複数の液体試料それぞれから赤血球を互いに異なるチャンバユニット２５の第２チャンバー２２へ抽出することが可能となり、検査時間の短縮化を図ることが可能となる。
【００６４】
ベース基板４の厚さは、例えば、０．６ｍｍである。カバー基板５の厚さは、例えば、３ｍｍである。第２チャンバー２２形成用の凹部５４の深さは、検体のサイズよりも十分に大きいのが好ましい。凹部５４の深さは、例えば、４００μｍである。検査用ディスク１は、ベース基板４の下面４２側から検査用の光（励起光）を入射させることを想定している。このため、検査用ディスク１では、ベース基板４の厚さがカバー基板５の厚さよりも薄いのが好ましい。ベース基板４の厚さは、励起光のビームスポットのコマ収差を低減する観点から、励起光の波長が短いほど薄いのが好ましい。
【００６５】
ベース基板４の材質は、透明な樹脂であるのが好ましい。ベース基板４は、射出成形によって形成されている。これにより、ベース基板４には、孔４０、トラック４３（図４参照）が形成されている。ベース基板４の材質は、例えば、ポリカーボネートであるが、これに限らない。ベース基板４の材質は、例えば、ポリメチルメタクリレート、非晶質ポリオレフィン、ポリエチレン、エチレン、ポリプロピレン、ポリイソブチレン、ポリエチレンテレフタレート（ＰＥＴ）、不飽和ポリエステル、フッ素樹脂、ポリ塩化ビニル、ポリ塩化ビニリデン、ポリ酢酸ビニル、ポリビニルアルコール、ポリビニルアセタール、アクリル樹脂、ポリアクリロニトリル、ポリスチレン、アセタール樹脂、ポリアミド、フェノール樹脂、ユリア樹脂、エポキシ樹脂、メラミン樹脂、スチレン・アクリロニトリル共重合体、アクリロニトリル・ブタジエンスチレン共重合体、シリコーン樹脂、ポリフェニレンオキサイド及びポリスルホン等でもよい。
【００６６】
カバー基板５の材質は、例えば、アクリル樹脂であるが、これに限らない。カバー基板５の材質は、例えば、ポリスチレン、ポリカーボネート等のベース基板４の材質と同じ材質でもよい。ただし、ベース基板４とカバー基板５の材質は必ずしも同じ材質を採用する必要はなく、例えば、ベース基板４がポリカーボネート、カバー基板５がポリスチレンという組み合わせでもよい。カバー基板５は、射出成形によって形成されている。これにより、カバー基板５には、孔５０、貫通孔５１、凹部５３及び凹部５４が形成されている。
【００６７】
カバー基板５は、蛍光色素と同様に半導体レーザ７１からの励起光によって励起されて蛍光を発する蛍光材を含有させてあるのが好ましい。これにより、検査用ディスク１では、検出装置７０により赤血球の検査を行うときに、画像において赤血球の背景画像を明るくすることが可能となり、赤血球の輪郭を画像認識しやすくなり、検査の精度を向上させることが可能となる。蛍光材から発生する蛍光の波長は、例えば、４８０〜６００ｎｍである。このような蛍光材としては、希土類イオンで付活された蛍光体等を採用することができる。
【００６８】
無機系の蛍光体の例として、ＢＡＭ系の蛍光体（例えば、ＢａＭｇＡｌ10Ｏ17:Ｅｕ2+）、ＳＣＡ系の蛍光体（例えば（Ｓｒ,Ｂａ，Ｃａ）5（ＰＯ4）3Ｃｌ：Ｅｕ2+）、ＳＭＳ系の蛍光体（Ｓｒ3ＭｇＳｉ2Ｏ8:Ｅｕ2+、ＹＡＧ系の蛍光体（例えばＹ3Ａｌ3Ｏ12）、ＣＡＳＮ系蛍光体（例えばＣａＡｌＳｉＮ3:Ｅｕ）、ＳＳＥ系蛍光体（Ｓｒ3ＳｉＯ5：Ｅｕ）等が挙げられる。上記の蛍光体は必ずしも上記組成と完全一致する必要はなく、添加物が含まれていたり、組成比が異なったりしてもよい。また、上記の蛍光体以外にも、３波長形蛍光ランプ用蛍光体、特殊ランプ用蛍光体、冷陰極ランプ用蛍光体、ＰＤＰ（Plasma Display Panel）用蛍光体、ＬＥＤ（Light Emitting Diode）用蛍光体、蛍光灯用蛍光体、等の広く用いられている蛍光体を使用することができる。また、有機系の蛍光体の例として、赤色発光蛍光体（Ｅｕ錯体化合物、Ｓｍ錯体化合物、Ｐｒ錯体化合物、ジシアノメチレン系化合物、ベンゾピラン誘導体、ローダミン誘導体、ベンゾチオキサンテン誘導体、ポリアルキルチオフェン誘導体）、黄色発光蛍光体（ルブレン系化合物、ペリミドン誘導体）、青色発光蛍光体（ペリレン系化合物、ピレン系化合物、アントラセン系化合物、ジスチリル誘導体、ポリジアルキルフルオレン誘導体、ポリパラフェニレン誘導体）、緑色発光蛍光体（クマリン系化合物、Ｔｂ錯体化合物、キナクリドン化合物）等が挙げられる。
【００６９】
これらの蛍光体は１種を単独で用いてもよく、同色系ないしは異なる色調に発光するものの２種以上を併用してもよい。少量配合で良好な蛍光発光特性を示す観点から、有機系の蛍光体としては、赤色発光蛍光体のＥｕ錯体化合物を用いることが好ましい。
【００７０】
カバー基板５は、必ずしも、カバー基板５の全体に蛍光材が均一に分散している必要はなく、一部に蛍光材が存在する場合でもよい。例えば、カバー基板５の厚み方向に対して、上面の一部に蛍光材が存在してもよい。また、カバー基板５が２層構成となっており、２層の各層が異なる材質で形成されていてもよい。
【００７１】
ベース基板４とカバー基板５とは、例えば、接着剤からなる接合部６により接合されている。接着剤は、例えば、アクリレート系の接着剤である。ベース基板４とカバー基板５との接合の方法は、接着剤には限られず、溶着（熱溶着、超音波溶着、振動溶着、スピン溶着、レーザ溶着）やプラズマ接合、表面活性化接合等の一般的な接合方法を採用すればよい。
【００７２】
検査用ディスク１では、第２チャンバー２２の内壁面が親水性を有しているのが好ましい。このため、検査用ディスク１は、第２チャンバー２２の内壁面に親水化処理が施されているのが好ましい。第２チャンバー２２の内壁面は、カバー基板５における第２チャンバー２２形成用の凹部５４の内面と、ベース基板４の上面４１上の誘電体膜４４における凹部５４との対向面と、を含む。親水化処理としては、例えば、ＴｒｉｔｏｎＸ（登録商標）に代表される界面活性剤や、水酸基、スルホン酸基、カルボキシル基等の親水基を持つ高分子化合物を塗布する処理がある。また、親水化処理としては、酸素プラズマ処理、コロナ放電処理等もある。
【００７３】
フィルタカートリッジ３におけるフィルタ３５は、多孔質構造体３６を含んでいる。多孔質構造体３６は、例えば、不要な物質（白血球）を通過させず特定の物質（赤血球）を通過させることができるように構成されている。多孔質構造体３６は、例えば、図６に示すＳＥＭ像図のように、複数の繊維状物質３６１により形成されている。より詳細には、多孔質構造体３６は、複数の繊維状物質３６１が互いに絡み合って形成されており、多数の空隙３６２が形成されている。空隙３６２は、隣り合う繊維状物質３６１間にある。多孔質構造体３６は、複数の繊維状物質３６１がそれぞれ湾曲して絡み合っている。繊維状物質３６１は、例えば、酸化シリコンからなる。より詳細には、繊維状物質３６１は、アモルファス状の二酸化シリコンからなる。繊維状物質３６１の太さ（繊維径）は、例えば、０．０１μｍ〜１μｍ程度である。繊維状物質３６１は、枝分かれしていてもよい。空隙３６２は、例えば、多孔質構造体３６において、赤血球を通し、かつ、白血球を捕捉できるような大きさである。ここで、空隙３６２は、赤血球よりも大きいのが好ましいが、必ずしも赤血球よりも大きい必要はない。これは、赤血球が、変形能を有し、自身よりも小さな空隙３６２を通ることが可能であるからである。また、空隙３６２は、白血球等の捕捉対象物よりも小さい。これは、白血球は、赤血球よりも変形能が小さいからである。
【００７４】
フィルタカートリッジ３は、多孔質構造体３６を保持する保持体３７を備えているのが好ましい。保持体３７には、ディスク本体２の径方向に貫通する複数の貫通孔３７４が形成されている。貫通孔３７４は、フィルタ３５を通る特定の物質（例えば、赤血球）を通す大きさに形成されている。貫通孔３７４の開口形状は、円形状であるが、これに限らず、例えば、楕円形状、矩形状等でもよい。
【００７５】
保持体３７は、一例として、シリコンにより形成されている。保持体３７（図１Ｂ及び５Ｂ参照）は、矩形板状であり、厚さ方向の第１面３７１に、多孔質構造体３６を収納する凹部３７３が形成されている。ここで、多孔質構造体３６は、保持体３７に固定されている。多孔質構造体３６における繊維状物質３６１は、保持体３７の凹部３７３の内壁に直接接合されている。ここで、「直接接合」とは、保持体３７の凹部３７３の内壁に繊維状物質３６１が直接形成され、保持体３７と繊維状物質３６１を構成する原子又は分子が直接結合している状態を意味する。より詳細には、「直接接合」とは、保持体３７のシリコン原子と繊維状物質３６１のシリコン原子とが酸素分子を介して共有結合することにより、直接接合されている状態を意味する。フィルタカートリッジ３では、繊維状物質３６１が二酸化シリコンからなるので、繊維状物質３６１が有機ポリマーからなる場合と比べて、繊維状物質３６１の耐薬品性及び耐熱性を向上させることが可能となる。
【００７６】
フィルタカートリッジ３は、ケース３０を備えている。ケース３０は、ディスク本体２の厚さ方向から見て長方形と台形とを合わせたような形状である。より詳細には、ケース３０は、ディスク本体２の径方向における第１端３０１と第２端３０２とを有する。ケース３０の第１端３０１と第２端３０２とのうち第２チャンバー２２側にある第２端３０２が、上述の台形の部分に相当し、厚さ方向から見てディスク本体２の径方向外向きにおいて先細りする形状である。これにより、検査用ディスク１では、液体試料が流路２３へ入りやすくなる。第１チャンバー２１の開口形状もケース３０と略同じ形状である。ケース３０は、第２チャンバー２２側の一面に開口部３２０を有する。これに対し、保持体３７は、ケース３０の開口部３２０を塞ぐように、ケース３０に対して、例えば、接着剤からなる接合部３９により接合されている。ここで、フィルタカートリッジ３では、保持体３７の側面とケース３０における開口部３２０の内周面とを接着剤により接着させることにより、接着剤を多孔質構造体３６に付着させないようにしてある。保持体３７は、例えば、第１面３７１がケース３０の内部空間側（ディスク本体２の中心軸２０側）となり、第２面３７２がケース３０の外部空間側（第２チャンバー２２側）となるようにケース３０に固定されている。ただし、保持体３７は、第１面３７１がケース３０の外部空間側（第２チャンバー２２側）となるように、反転させて設置することも可能である。
【００７７】
ケース３０における開口部３２０の内周面には、ケース３０の内部空間側への保持体３７の位置ずれを防止するための段部３２２が形成されている。
【００７８】
フィルタカートリッジ３では、ケース３０の開口部３２０が、フィルタカートリッジ３における液体試料の出口３４を構成している。フィルタカートリッジ３では、ケース３０とフィルタ３５と（保持体３７と）で囲まれた空間が液体試料の収納空間３１を構成している。検査用ディスク１において、フィルタ３５は、フィルタカートリッジ３における液体試料の出口３４にあるのが好ましい。これにより、検査用ディスク１及びフィルタカートリッジ３では、フィルタ３５が液体試料の出口３４よりもディスク本体２の径方向内側にある場合に比べて、液体試料を入れる収納空間３１の容積を比較的大きくすることが可能となる。収納空間３１の容積は、例えば、第２チャンバー２２の容積と略同じであるのが好ましい。
【００７９】
検査用ディスク１において、フィルタカートリッジ３は、液体試料の注入孔３３を有するのが好ましい。これにより、検査用ディスク１及びフィルタカートリッジ３では、フィルタカートリッジ３の収納空間３１に液体試料が入っておらず、かつ、フィルタカートリッジ３をディスク本体２に嵌め込んでいないときに、フィルタ性能の検査の一種としてリーク試験を行うことが可能となる。リーク試験では、例えば、フィルタ３５の圧力損失を測定する。フィルタ３５の圧力損失は、例えば、試験用清浄空気をフィルタ３５に流通させたときの上流側と下流側との全圧差をマノメータによって測定することよって得られる。より詳細には、注入孔３３から所定圧力の試験用清浄空気をケース３０内へ導入したときのフィルタ３５での圧力損失を測定する。これにより、検査用ディスク１及びフィルタカートリッジ３では、フィルタカートリッジ３をディスク本体２に嵌め込む前に、フィルタ３５のフィルタ性能を検査することができる。注入孔３３は、ケース３０の上壁において出口３４から遠い位置にあるのが好ましい。
【００８０】
また、フィルタカートリッジ３の収納空間３１の平面視形状は、図５Ａ及び５Ｂに示すようにＵ字形状であってもよい。フィルタカートリッジ３では、ケース３０においてＵ字形状の収納空間３１の第１端に連通するように注入孔３３が設けられ、第２端に連通するように通気孔３８が設けられていることが望ましい。これにより、フィルタカートリッジ３の収納空間３１に液体試料を注入する際に、収納空間３１内部に存在していた空気をフィルタ３５以外の部分からも逃がすことが可能となるために、スムーズに液体試料を注入することができる。通気孔３８の形状及び大きさは特に問わない。通気孔３８の形状は、例えば、円形、三角形、四角形、星形等である。液体試料の漏れを防ぐためには、小さいほうが良く、フィルタカートリッジ３に設けられた注入孔３３よりも小さいほうが望ましい。また、通気孔３８の位置は、Ｕ字形状の収納空間３１の第２端の、より端部に形成されているほうが、液体試料の所定の注入量を確保しやすい。通気孔３８は、一部が収納空間３１に設けられていればよく、別の一部が収納空間３１の外にかかっていてもよい。
【００８１】
カバー基板５は、例えば、射出成形によって形成されている。また、フィルタカートリッジ３は、厚み方向に２層の異なる部材を貼り合せて形成してもよい。例えば、底部を構成する部材と、注入孔３３、通気孔３８及び開口部３２０が形成された部分と、を貼り合せることができる。その場合、底板を構成する部材は平板構造となるため、非常に簡易な構造であり、生産性に優れた構造となる。２層の異なる部材は、例えば、接着剤により接合されている。接着剤は、例えば、アクリレート系の接着剤である。接合の方法は、接着剤には限られず、溶着（熱溶着、超音波溶着、振動溶着、スピン溶着、レーザ溶着）やプラズマ接合、表面活性化接合、等の一般的な接合方法を採用すればよい。
【００８２】
フィルタカートリッジ３の製造時には、多孔質構造体３６を保持した保持体３７をケース３０に固定する前に、多孔質構造体３６の厚さをレーザ変位計等によって測定することができる。フィルタカートリッジ３では、その製造時に、フィルタ性能を決める要因の一つである多孔質構造体３６の厚さをレーザ変位計等により検査することができる。
【００８３】
特許文献１に記載の診断キットでは、フィルタを設けた上部基材と、下部基材と、を貼り合せたときに、フィルタが変形しフィルタのフィルタ性能が変化してしまう懸念がある。
【００８４】
これに対して、本実施形態の検査用ディスク１では、フィルタカートリッジ３をディスク本体２に嵌め込む前にフィルタ３５のフィルタ性能を検査することができる。
【００８５】
フィルタカートリッジ３は、注入孔３３と通気孔３８との少なくとも一方を塞ぐフィルムを備えていてもよい。
【００８６】
以上説明した検査用ディスク１及び検出装置７０を用いた検査方法では、赤血球へのマラリアの原虫の感染の有無を確認することにより、自覚症状のない潜伏期間においてマラリアの原虫の感染の有無を精度よく検査することが可能となる。
【００８７】
実施形態に記載した材料、数値等は、好ましい例を示しているだけであり、それに限定する主旨ではない。更に、本願発明は、その技術的思想の範囲を逸脱しない範囲で、構成及び形状それぞれに適宜変更を加えることが可能である。
【００８８】
例えば、フィルタカートリッジ３の収納空間３１に入れる液体試料は、病原性微生物の核酸を染色する染色液を含んでいてもよい。この場合、ディスク本体２には、核酸を染色させるための蛍光色素を配置しなくてもよい。染色液を利用した染色方法としては、例えば、ギムザ染色、アクリジンオレンジ染色、ライト染色、ジェンナー染色、リーシュマン染色、ロマノフスキー染色等を採用することができる。染色液は、病原性微生物の種類及び染色方法に応じて適宜の染色液を用いればよい。
【００８９】
ディスク本体２の厚さ方向から見た第２チャンバー２２の形状は、Ｕ字状に限らず、円形状、多角形状、又は、例えば、図８に示すように、蛇腹状でもよい。また、ディスク本体２の厚さ方向から見た第２チャンバー２２の形状は、アーチ状でもよい。「アーチ状」とは、半径方向よりも円周方向の距離が十分長く形成された形状であって、折り返し部を有さない形状を意味する。
【００９０】
なお、第２チャンバー２２の高さはディスク本体２の内周から外周に向かって高くなってよい。これにより、検査用ディスク１では、第２チャンバー２２内に気泡が残りにくくなる。また、検査用ディスク１では、液体試料はディスク本体２の内周側から外周側に行くに従って流速が遅くなるため、第２チャンバー２２内において検体がディスク本体２の外周側に偏って配置されるのを抑制することが可能となる。
【００９１】
ディスク本体２の厚さ方向から見たディスク本体２の形状は、円形状に限らず、例えば、八角形状等でもよい。
【００９２】
また、第２チャンバー２２の外周部には、液体試料を排出するための排出口を設けてもよい。排出口は、例えば、カバー基板５の上面側に形成された貫通孔である。排出口を設けることにより、例えば、液体試料を排出口から排出し、第２チャンバー２２の底面に吸着した試料を別途固定化及び染色することができる。そのため、検出装置７０を用いて測定を行った検査用ディスク１を、例えば、検体の標本として保管することができる。
【００９３】
検査用ディスク１では、カバー基板５において凹部５３及び凹部５４が形成される部位の厚さをカバー基板５において貫通孔５１が形成される部位の厚さよりも小さくしてもよい。また、検査用ディスク１では、カバー基板５の軽量化を図れ、材料費削減を図れる。また、検出装置７０において、検査用ディスク１を回転装置８３により回転させるときの負荷軽減を図ることが可能となる。
【００９４】
また、図９に示すように、フィルタカートリッジ３の高さは、第１チャンバー２１に対応する凹部２０１の深さよりも大きくてもよい。これにより、フィルタカートリッジ３の収納空間３１に関して同じ液体試料の容量を想定した場合に、フィルタカートリッジ３の、ディスク本体２の円周方向と径方向との少なくとも一方における寸法を小さくすることが可能となる。これにより、検査用ディスク１は、検出装置７０による検出の精度（測定の精度）に関わる第２チャンバー２２の領域を広げることが可能となり、測定の高精度化に寄与する。
【００９５】
また、検査用ディスク１では、第１チャンバー２１内にある液体試料に含まれている赤血球を遠心力により第２チャンバー２２まで移動させるが、これに限定されず、例えば、第１チャンバー２１と流路２３との間に圧力の差を発生させることによって赤血球を第１チャンバー２１から第２チャンバー２２まで移動させてもよい。一手段として、第１チャンバー２１に圧力を印加することによって第１チャンバー２１と流路２３との間に圧力の差を発生させることができる。第１チャンバー２１に圧力を印加させる方法としては、第１チャンバー２１の上方から加圧する。
【００９６】
検査用ディスク１、フィルタカートリッジ３及びディスク本体２を赤血球の検査に用いる例について説明したが、検査用ディスク１、フィルタカートリッジ３及びディスク本体２の用途はこれに限定されず、例えば、ＤＮＡ検査、蛋白質検査等にも用いることが可能である。
【符号の説明】
【００９７】
１  液体試料検査用ディスク
２  ディスク本体
２０  中心軸
２１  第１チャンバー
２２  第２チャンバー
２０１  凹部
３  フィルタカートリッジ
３１  収納空間
３３  注入孔
３４  出口
３５  フィルタ
３６  多孔質構造体
【図１】
2019078527.tif 000003
【図２】
2019078527.tif 000004
【図３】
2019078527.tif 000005
【図４】
2019078527.tif 000006
【図５】
2019078527.tif 000007
【図６】
2019078527.tif 000008
【図７】
2019078527.tif 000009
【図８】
2019078527.tif 000010
【図９】
2019078527.tif 000011